【手続補正書】
【提出日】令和2年7月27日(2020.7.27)
【手続補正１】
【補正対象書類名】特許請求の範囲
【補正対象項目名】全文
【補正方法】変更
【補正の内容】
【特許請求の範囲】
【請求項１】
ペンダントカルボキシル基を有するアニオン性モノマーを含む水溶性ポリビニルアルコールコポリマーと、ソルビトールを含む第１の可塑剤、ならびにグリセロール、トリメチロールプロパン、ジグリセロール、グリセロールプロピレンオキシドポリマー、グリセロールジアセテート、２−メチル−１，３−プロパンジオール、およびそれらの組み合わせからなる群から選択される二次可塑剤を含む可塑剤ブレンドと、の混合物を含む水溶性フィルムを有する、密封されたパウチであって、
（ｉ）前記フィルム中に含まれる可塑剤の総量が、１２ＰＨＲ未満である場合、前記可塑剤ブレンドが、ソルビトール、グリセロール、および少なくとも１つの追加の二次可塑剤を含み、
（ｉｉ）前記フィルム中に含まれる可塑剤の総量が、少なくとも１２ＰＨＲかつ２０ＰＨＲ未満である場合、前記可塑剤ブレンドが、ソルビトール、グリセロール、ならびにジグリセロール、トリメチロールプロパン、およびそれらの組み合わせから選択される少なくとも１つの追加の二次可塑剤を含み、
（ｉｉｉ）前記フィルム中に含まれる可塑剤の総量が、２０ＰＨＲ以上である場合、前記ソルビトールが、可塑剤の総量（質量で）の少なくとも１／３を構成する、
酸化組成物を収容する、密封されたパウチ。
【請求項２】
グリセロールが前記フィルム中に含まれる場合、前記グリセロールは、前記フィルムの総質量に基づいて少なくとも２．０質量％の量で含まれる、請求項１に記載の密封されたパウチ。
【請求項３】
前記フィルム中の可塑剤の総量が、前記フィルム中の全樹脂に基づいて、少なくとも２ＰＨＲ、少なくとも５ＰＨＲ、または少なくとも６．５ＰＨＲである、請求項１または請求項２に記載の密封されたパウチ。
【請求項４】
可塑剤の総量が、前記フィルム中の全樹脂に基づいて、約１２ＰＨＲ未満、約１０ＰＨＲ未満、約８ＰＨＲ未満、または約７．５ＰＨＲ未満である、請求項１〜３のいずれか１項に記載の密封されたパウチ。
【請求項５】
前記フィルム中の可塑剤の総量が、前記フィルム中の全樹脂に基づいて、約１５〜約２０ＰＨＲ、または約１６〜１８ＰＨＲの範囲である、請求項１または請求項２に記載の密封されたパウチ。
【請求項６】
前記フィルム中の可塑剤の総量が、前記フィルム中の全樹脂に基づいて、約２１ＰＨＲ〜約２７ＰＨＲ、または約２３〜２５ＰＨＲの範囲である、請求項１または請求項２に記載の密封されたパウチ。
【請求項７】
アニオン性モノマー単位が、ビニル酢酸、マレイン酸、マレイン酸モノアルキル、マレイン酸ジアルキル、マレイン酸モノメチル、マレイン酸ジメチル、無水マレイン酸、フマル酸、フマル酸モノアルキル、フマル酸ジアルキル、フマル酸モノメチル、フマル酸ジメチル、無水フマル酸、イタコン酸、イタコン酸モノメチル、イタコン酸ジメチル、無水イタコン酸、前述のもののアルカリ金属塩、前述のもののエステル、および前述のものの組み合わせからなる群から選択される、請求項１〜６のいずれか１項に記載の密封されたパウチ。
【請求項８】
前記アニオン性モノマー単位が、マレイン酸、マレイン酸モノアルキル、マレイン酸ジアルキル、マレイン酸モノメチル、マレイン酸ジメチル、無水マレイン酸、前述のもののアルカリ金属塩、前述のもののエステル、およびそれらの組み合わせのうちの１つ以上を含む、請求項７に記載の密封されたパウチ。
【請求項９】
前記アニオン性モノマー単位が、マレイン酸、マレイン酸モノメチル、マレイン酸ジメチル、無水マレイン酸、前述のもののアルカリ金属塩、前述のもののエステル、およびそれらの組み合わせからなる群から選択される、請求項８に記載の密封されたパウチ。
【請求項１０】
前記ＰＶＯＨコポリマーが、８７〜９８、または８９〜９７、または９０〜９６の範囲の加水分解度を含む、請求項１〜９のいずれか１項に記載の密封されたパウチ。
【請求項１１】
前記ＰＶＯＨコポリマーが、９４〜９８の範囲の加水分解度を有する、請求項１０に記載の密封されたパウチ。
【請求項１２】
前記ＰＶＯＨコポリマーが、９６の加水分解度を有する、請求項１１に記載の密封されたパウチ。
【請求項１３】
抗酸化剤をさらに含む、請求項１〜１２のいずれか１項に記載の密封されたパウチ。
【請求項１４】
前記抗酸化剤が、メタ重亜硫酸ナトリウム、没食子酸プロピル、クエン酸、およびそれらの組み合わせからなる群から選択される、請求項１３に記載の密封されたパウチ。
【請求項１５】
同一の組成および約２ミル（約０．０５ｍｍ）の厚さを有するフィルムが、２３℃および３５％の相対湿度（ＲＨ）で６週間、刺激の強い化学酸化剤と接触させて保存した後、ＭｏｎｏＳｏｌ試験方法ＭＳＴＭ−２０５に従って、２０℃（６８°Ｆ）の温度の水に６００秒以内で溶解する、請求項１〜１４のいずれか１項に記載の密封されたパウチ。
【請求項１６】
充填剤、界面活性剤、粘着防止剤、または前述のものの組み合わせをさらに含む、請求項１〜１５のいずれか１項に記載の密封されたパウチ。
【請求項１７】
前記アニオン性モノマーが、マレイン酸モノメチルを含み、前記フィルム中に存在する全可塑剤が、７〜８ＰＨＲの範囲であり、前記可塑剤ブレンドが、グリセロール、ソルビトール、およびジグリセロールから本質的になる、請求項１に記載の密封されたパウチ。
【請求項１８】
前記アニオン性モノマーが、マレイン酸モノメチルを含み、前記フィルム中に存在する全可塑剤が、７〜８ＰＨＲの範囲であり、前記可塑剤ブレンドが、グリセロール、ソルビトール、およびトリメチロールプロパンから本質的になる、請求項１に記載の密封されたパウチ。
【請求項１９】
前記アニオン性モノマーが、マレイン酸モノメチルを含み、前記フィルム中に存在する全可塑剤が、２４〜２５ＰＨＲの範囲であり、前記可塑剤ブレンドが、グリセロールとソルビトールとの１：１質量％混合物から本質的になる、請求項１に記載の密封されたパウチ。
【請求項２０】
前記アニオン性モノマーが、マレイン酸モノメチルを含み、前記フィルム中に存在する全可塑剤が、２４〜２５ＰＨＲの範囲であり、前記可塑剤ブレンドが、トリメチロールプロパンとソルビトールとの１：１質量％混合物から本質的になる、請求項１に記載の密封されたパウチ。
【請求項２１】
前記アニオン性モノマーが、マレイン酸モノメチルを含み、前記フィルム中に存在する全可塑剤が、２４〜２５ＰＨＲの範囲であり、前記可塑剤ブレンドが、トリメチロールプロパン、グリセロールおよびソルビトールの１：１：１質量％混合物から本質的になる、請求項１に記載の密封されたパウチ。
【請求項２２】
前記アニオン性モノマーが、マレイン酸モノメチルを含み、前記フィルム中に存在する全可塑剤が、１６．５〜１７．５ＰＨＲの範囲であり、前記可塑剤ブレンドが、グリセロール、ソルビトール、およびジグリセロールから本質的になる、請求項１に記載の密封されたパウチ。
【請求項２３】
前記アニオン性モノマーが、マレイン酸モノメチルを含み、前記フィルム中に存在する前記全可塑剤が、１６．５〜１７．５ＰＨＲの範囲であり、前記可塑剤ブレンドが、グリセロール、ソルビトール、およびトリメチロールプロパンから本質的になる、請求項１に記載の密封されたパウチ。
【請求項２４】
前記パウチが、縦型形成、充填および密封されたパウチである、請求項１〜２３のいずれか１項に記載の密封されたパウチ。
【請求項２５】
前記酸化組成物が、塩素化組成物または臭素化組成物である、請求項１〜２４のいずれか１項に記載の密封されたパウチ。
【請求項２６】
前記酸化剤が、次亜塩素酸ナトリウム、次亜塩素酸カルシウム、ならびに次亜塩素酸リチウム、ジクロロイソシアヌル酸、トリクロロイソシアヌル酸、トリクロロイソシアヌレート（ＴＣ）、前述のものの塩および水和物、１，３−ジブロモ−５，５−ジメチルヒダントイン（ＤＢＤＭＨ）、２，２−ジブロモ−３−ニトリロプロピオンアミド（ＤＢＮＰＡ）、ジブロモシアノ酢酸アミド、１−ブロモ−３−クロロ−５，５−ジメチルヒダントイン（ＢＣＤＭＨ）、２−ブロモ−２−ニトロ−１，３−プロパンジオール、ならびにそれらの組み合わせからなる群から選択される酸化剤を含む、請求項１〜２５のいずれか１項に記載の密封されたパウチ。
【請求項２７】
前記酸化剤が、トリクロロイソシアヌレート、１−ブロモ−３−クロロ−５，５−ジメチルヒダントイン、およびそれらの組み合わせからなる群から選択される酸化剤を含む、請求項１〜２６のいずれか１項に記載の密封されたパウチ。
【請求項２８】
前記パウチが、少なくとも約２５ｍｌ、または少なくとも約１００ｍｌ、または少なくとも約１５０ｍｌ、または少なくとも約２００ｍｌ、または少なくとも約２５０ｍｌ、または少なくとも約３００ｍｌの内部容積を有する、請求項１〜２７のいずれか１項に記載の密封されたパウチ。
【請求項２９】
前記パウチが、少なくとも約１２．５ｃｍ（約５インチ）、少なくとも約１８ｃｍ（約７インチ）、または少なくとも約２３ｃｍ（約９インチ）の長さを有する、請求項１〜２８のいずれか１項に記載の密封されたパウチ。
【請求項３０】
フィルムであって、前記フィルムが、前記フィルムと接触する酸化組成物の包装に使用するためのものであり、前記フィルムが、ペンダントカルボキシル基を有するアニオン性モノマーを含む水溶性ポリビニルアルコールコポリマーと、ソルビトールを含む第１の可塑剤、ならびにグリセロール、トリメチロールプロパン、ジグリセロール、グリセロールプロピレンオキシドポリマー、グリセロールジアセテート、２−メチル−１，３−プロパンジオール、およびそれらの組み合わせからなる群から選択される二次可塑剤を含む可塑剤ブレンドと、の混合物を含み、
（ｉ）前記フィルム中に含まれる可塑剤の総量が、１２ＰＨＲ未満である場合、前記可塑剤ブレンドが、ソルビトール、グリセロール、および少なくとも１つの追加の二次可塑剤を含み、
（ｉｉ）前記フィルム中に含まれる可塑剤の総量が、少なくとも１２ＰＨＲかつ２０ＰＨＲ未満である場合、前記可塑剤ブレンドが、ソルビトール、グリセロール、ならびにジグリセロール、トリメチロールプロパン、およびそれらの組み合わせから選択される少なくとも１つの追加の二次可塑剤を含み、
（ｉｉｉ）前記フィルム中に含まれる可塑剤の総量が、２０ＰＨＲ以上である場合、前記ソルビトールが、可塑剤の総量（重量で）の少なくとも１／３を構成する、フィルム。
【請求項３１】
前記フィルムが、前記酸化組成物を収容するパウチの形態である、請求項３０に記載のフィルム。